(57)【要約】【課題】異物による出入り口の開閉困難を防止することができる農業用ハウスを提供する。【解決手段】農業用ハウス１は、被覆材２とフレーム３と第１のカバー４とを備える。被覆材２は、透光性を有する。フレーム３は、内部に植物育成用の空間を形成するように被覆材２を支持する。第１のカバー４は、シート状部材４０で構成され、空間の出入り口３３を開閉する。また、第１のカバー４は、シート状部材４０を折り返して形成された折返し部４３に縫い付けられる第１のファスナー４１および第２のファスナー４２を有する。第１のファスナー４１は、出入り口３３の上部において横方向に設けられる。第２のファスナー４２は、第１のカバー４の下端から第１のファスナー４１まで縦方向に設けられる。【選択図】図１
2015146772.tif 000002
【特許請求の範囲】
【請求項１】
透光性を有する被覆材と、
内部に植物育成用の空間を形成するように前記被覆材を支持するフレームと、
シート状部材で構成され、前記空間の出入り口を開閉する第１のカバーとを備え、
前記第１のカバーは、前記シート状部材を折り返して形成された折返し部に縫い付けられる第１のファスナーおよび第２のファスナーを有し、
前記第１のファスナーは、前記出入り口の上部において横方向に設けられ、
前記第２のファスナーは、前記第１のカバーの下端から前記第１のファスナーまで縦方向に設けられる
ことを特徴とする農業用ハウス。
【請求項２】
前記第２のファスナーは、前記出入り口の中心線上に設けられ、前記第１のファスナーの中央部に連続する
ことを特徴とする請求項１記載の農業用ハウス。
【請求項３】
前記第２のファスナーは、前記出入り口の縁に沿って設けられ、前記第１のファスナーの一端に連続する
ことを特徴とする請求項１記載の農業用ハウス。
【請求項４】
前記第１のカバーの内側または外側に設けられ、メッシュ部を有するシート状部材で構成される第２のカバーを備え、
前記第２のカバーは、第３のファスナーおよび第４のファスナーを有し、
前記第３のファスナーは、前記出入り口の上部において横方向に設けられ、
前記第４のファスナーは、前記第２のカバーの下端から前記第３のファスナーまで縦方向に設けられる
ことを特徴とする請求項１〜３のうちいずれか１項に記載の農業用ハウス。
【請求項５】
前記第４のファスナーは、前記出入り口の中心線上に設けられ、前記第３のファスナーの中央部に連続する
ことを特徴とする請求項４記載の農業用ハウス。
【請求項６】
前記第４のファスナーは、前記出入り口の縁に沿って設けられ、前記第３のファスナーの一端に連続する
ことを特徴とする請求項４記載の農業用ハウス。
【発明の詳細な説明】
【技術分野】
【０００１】
本発明は、農作物の栽培に用いられる農業用ハウスに関するものである。
【背景技術】
【０００２】
室内の気温、湿度等を維持して外界とは異なる農作物の栽培に適した環境を実現する農業用ハウスがある（例えば特許文献１参照）。この種の農業用ハウスの出入り口には、レール上をスライドするスライドドアが一般的に用いられている。
【先行技術文献】
【特許文献】
【０００３】
【特許文献１】特開２０１０−２５２６９２号公報
【発明の概要】
【発明が解決しようとする課題】
【０００４】
しかし、レールは地面に設置されているが故に、レールに土などの異物が挟まりやすい。そして、レールに異物が挟まった場合、スライドドアの開閉が困難になるという問題があった。
【０００５】
本発明は、上記事由に鑑みてなされたものであり、その目的は、異物による出入り口の開閉困難を防止することができる農業用ハウスを提供することにある。
【課題を解決するための手段】
【０００６】
本発明の農業用ハウスは、透光性を有する被覆材と、内部に植物育成用の空間を形成するように前記被覆材を支持するフレームと、シート状部材で構成され、前記空間の出入り口を開閉する第１のカバーとを備え、前記第１のカバーは、前記シート状部材を折り返して形成された折返し部に縫い付けられる第１のファスナーおよび第２のファスナーを有し、前記第１のファスナーは、前記出入り口の上部において横方向に設けられ、前記第２のファスナーは、前記第１のカバーの下端から前記第１のファスナーまで縦方向に設けられることを特徴とする。
【０００７】
この農業用ハウスにおいて、前記第２のファスナーは、前記出入り口の中心線上に設けられ、前記第１のファスナーの中央部に連続することが好ましい。
【０００８】
この農業用ハウスにおいて、前記第２のファスナーは、前記出入り口の縁に沿って設けられ、前記第１のファスナーの一端に連続することが好ましい。
【０００９】
この農業用ハウスにおいて、前記第１のカバーの内側または外側に設けられ、メッシュ部を有するシート状部材で構成される第２のカバーを備え、前記第２のカバーは、第３のファスナーおよび第４のファスナーを有し、前記第３のファスナーは、前記出入り口の上部において横方向に設けられ、前記第４のファスナーは、前記第２のカバーの下端から前記第３のファスナーまで縦方向に設けられることが好ましい。
【００１０】
この農業用ハウスにおいて、前記第４のファスナーは、前記出入り口の中心線上に設けられ、前記第３のファスナーの中央部に連続することが好ましい。
【００１１】
この農業用ハウスにおいて、前記第４のファスナーは、前記出入り口の縁に沿って設けられ、前記第３のファスナーの一端に連続することが好ましい。
【発明の効果】
【００１２】
以上説明したように、本発明では、出入り口の上部において横方向に設けられる第１のファスナーと、縦方向に設けられる第２のファスナーとを有する第１のカバーで出入り口を開閉している。第１，第２のファスナーには異物が挟まり難いので、異物による出入り口の開閉困難を防止することができるという効果がある。
【図面の簡単な説明】
【００１３】
【図１】実施形態の農業用ハウスの概略構成を示す斜視図である。
【図２】実施形態の農業用ハウスにおける要部の正面図である。
【図３】実施形態の農業用ハウスにおける要部の正面図である。
【図４】実施形態の農業用ハウスにおける要部の別構成の正面図である。
【図５】実施形態の農業用ハウスにおける要部の別構成の正面図である。
【発明を実施するための形態】
【００１４】
以下、本発明の実施の形態を図面に基づいて説明する。
【００１５】
（実施形態）
本実施形態の農業用ハウス１の概略構成図を図１に示す。本実施形態の農業用ハウス１は、気温、湿度などを維持して外界とは異なる植物育成用の空間を形成し、農作物の栽培に適した環境を実現するものであり、被覆材２とフレーム３と第１のカバー４とを備える。被覆材２は、透光性を有する。フレーム３は、内部に植物育成用の空間を形成するように被覆材２を支持する。第１のカバー４は、シート状部材４０で構成され、空間の出入り口３３を開閉する。また、第１のカバー４は、シート状部材４０を折り返して形成された折返し部４３に縫い付けられる第１のファスナー４１および第２のファスナー４２を有する（図２参照）。第１のファスナー４１は、出入り口３３の上部において横方向に設けられる。第２のファスナー４２は、第１のカバー４の下端から第１のファスナー４１まで縦方向に設けられる。
【００１６】
以下に、本実施形態の農業用ハウス１の構成について詳細に説明する。本実施形態の農業用ハウス１は、構造材として機能する複数の金属製パイプで圃場を囲うように組み合わされたフレーム３と、フレーム３によって支持される被覆材２とで植物育成用空間を形成している。被覆材２は、透光性を有するシート状部材（例えば、合成樹脂フィルム）で構成されている。そして、被覆材２でフレーム３を覆うことで農業用ハウス１の外形は、断面が半円状の屋根１１と、屋根１１を支持し互いに対向する一対の側壁１２と、側壁１２に直交し互いに対向する一対の妻壁１３とが一体に構成され、断面が逆Ｕ字状に形成されている。なお、一対の妻壁１３間の距離は、一対の側壁１２間の距離に比べて十分に長く形成されており、一対の妻壁１３が対向する方向を長手方向、一対の側壁１２が対向する方向を短手方向とする。
【００１７】
また、本実施形態の農業用ハウス１は、屋根１１に沿って長手方向に開閉するカーテン６が設けられている。カーテン６は、一対の妻壁１３間に張られた複数本のワイヤー（図示なし）に吊るされており、長手方向の一端が長手方向に沿って移動することで開閉するように構成されている。カーテン６を開閉させることで、屋根１１からの外光の入射量を調整することができる。
【００１８】
また、農業用ハウス１の出入り口３３は、妻壁１３における短手方向の中央部に設けられている。出入り口３３は、一対の側壁１２間に設けられたフレーム３（横フレーム３１）と、横フレーム３１と地面との間に設けられた２本のフレーム３（縦フレーム３２）とで囲まれることで構成されており、被覆材２は、この出入り口３３を避けて設けられている。なお、出入り口３３は、一対の妻壁１３の両方に設けられていてもよいし、いずれか一方に設けられていてもよい。
【００１９】
そして、本実施形態の農業用ハウス１は、出入り口３３を開閉する第１のカバー４および第２のカバー５を備える。第１のカバー４は、透光性を有するシート状部材４０（例えば、合成樹脂フィルム）で矩形状に形成されており、出入り口３３を閉じることで農業用ハウス１内の植物育成用の空間と外界との空気の出入りを遮断する。第２のカバー５は、メッシュ部を有するシート状部材５０（例えば、網目状シート）で矩形状に形成されており、出入り口３３を閉じることで通気性を確保しつつ農業用ハウス１内への虫などの侵入を防止する。そして、第１のカバー４と第２のカバー５とは、第２のカバー５が内側となるように重ね合わされた状態で、出入り口３３を覆うようにフィルム固定部材７によって横フレーム３１および縦フレーム３２に固定されている。フィルム固定部材７は、溝が連続して形成されたレール状の受け部材７１と、受け部材７１の溝にはめ込まれる弾性部材７２とで構成されており、受け部材７１の溝と弾性部材７２とでフィルム（シート状部材４０，５０）を挟み込んで固定する。なお、第２のカバー５は、第１のカバー４の外側に設けられていてもよい。
【００２０】
まず、第１のカバー４の構成について説明する。第１のカバー４は、横方向に設けられた第１のファスナー４１と、縦方向に設けられた第２のファスナー４２とを備えており、第１ファスナーおよび第２のファスナー４２を操作することで、出入り口３３を開閉することができる。
【００２１】
第１のファスナー４１は、スライドファスナーで構成されており、出入り口３３の上部において、横フレーム３１に沿って出入り口３３の幅方向（図２における左右方向）の両端にわたって横方向に設けられている。また、第１のファスナー４１は、中央部で分割されることで一対の分割ファスナー４１１が構成されており、分割ファスナー４１１それぞれが独立して開閉できるようにスライダー４１２を備えている。なお、各スライダー４１２が第１のファスナー４１の中央部にある場合、第１のファスナー４１が閉められた状態となり、各スライダー４１２が第１のファスナー４１の端部にある場合、第１のファスナー４１が開けられた状態となる。
【００２２】
第２のファスナー４２は、スライドファスナーで構成されており、出入り口３３の中心線上において、第１のファスナー４１の中央部から第１のカバー４の下端にわたって縦方向に設けられている。なお、第２のファスナー４２のスライダー４２１が下端にある場合、第２のファスナー４２が閉められた状態となり、スライダー４２１が上端にある場合、第２のファスナー４２が開けられた状態となる。
【００２３】
また、第１のファスナー４１および第２のファスナー４２は、第１のカバー４を構成するシート状部材４０を折り返して形成された折返し部４３に縫い付けられている。これにより、第１のファスナー４１および第２のファスナー４２とシート状部材４０との接合部の強度を確保することができ、シート状部材４０の破損を防止することができる。
【００２４】
次に、第２のカバー５は、第１のカバー４と同様の構成であり、横方向に設けられた第３のファスナー５１と、縦方向に設けられた第４のファスナー５２とを備えている（図３参照）。
【００２５】
第３のファスナー５１は、スライドファスナーで構成されており、出入り口３３の上部において、横フレーム３１に沿って出入り口３３の幅方向（図３における左右方向）の両端にわたって横方向に設けられている。また、第３のファスナー５１は、中央部で分割されることで一対の分割ファスナー５１１が構成されており、分割ファスナー５１１それぞれが独立して開閉できるようにスライダー５１２を備えている。なお、各スライダー５１２が第３のファスナー５１の中央部にある場合、第３のファスナー５１が閉められた状態となり、各スライダー５１２が第３のファスナー５１の端部にある場合、第３のファスナー５１が開けられた状態となる。
【００２６】
第４のファスナー５２は、スライドファスナーで構成されており、出入り口３３の中心線上において、第３のファスナー５１の中央部から第２のカバー５の下端にわたって縦方向に設けられている。なお、第４のファスナー５２のスライダー５２１が下端にある場合、第４のファスナー５２が閉められた状態となり、第４のファスナー５２のスライダー５２１が上端にある場合、第４のファスナー５２が開けられた状態となる。
【００２７】
また、第３のファスナー５１および第４のファスナー５２は、第２のカバー５を構成するシート状部材５０を折り返して形成された折返し部５３に縫い付けられている。これにより、第３のファスナー５１および第４のファスナー５２とシート状部材５０との接合部の強度を確保することができ、シート状部材５０の破損を防止することができる。
【００２８】
そして、上記第１，第２のファスナー４１，４２および第３，第４のファスナー５１，５２を操作することで、出入り口３３を開閉することができる。第１のファスナー４１および第２のファスナー４２を閉めた場合、第１のカバー４によって出入り口３３が閉じられる。したがって、農業用ハウス１内の植物育成用の空間と外界との空気の出入りを遮断することができる。このとき、第３のファスナー５１および第４のファスナー５２は、閉められた状態でもよいし、開けられた状態でもよい。
【００２９】
また、第１のファスナー４１および第２のファスナー４２を開け、第３のファスナー５１および第４のファスナー５２を閉めた場合、第２のカバー５のみによって出入り口３３が閉じられる。したがって、農業用ハウス１の通気性を確保しつつ農業用ハウス１内への虫などの侵入を防止することができる。
【００３０】
また、第１，第２のファスナー４１，４２および第３，第４のファスナー５１，５２を開けた場合、出入り口３３が開放され、人、農業機械などが農業用ハウス１に出入りすることができる。
【００３１】
なお、農業用ハウス１に出入りする場合、必ずしも第１，第２のファスナー４１，４２、第３，第４のファスナー５１，５２すべてを開ける必要はなく、状況に応じて一部のみを開けてもよい。例えば、人のみが農業用ハウス１に出入りする場合、第２のファスナー４２および第４のファスナー５２の一部のみを開けることで形成された第１のカバー４および第２のカバー５の隙間から出入りすることができる。これにより、出入り口３３が不要に開放されることがないので、出入りする際における農業用ハウス１への空気の出入り、および虫の侵入などを防止することができる。また、比較的大きな農業機械を農業用ハウス１に出入りさせる場合、第１，第２のファスナー４１，４２、第３，第４のファスナー５１，５２すべてを開けることで、出入り口３３を大きく開放させることができ農業機械を出入りさせやすくなる。
【００３２】
このように、本実施形態の農業用ハウス１の出入り口３３には、スライドファスナー（第１，第２のファスナー４１，４２、第３，第４のファスナー５１，５２）を操作することによって開閉するカバー（第１，第２のカバー４，５）が設けられている。従来の農業用ハウス１のように出入り口３３にスライドドアを用いた場合、スライドドアをスライドさせるためのレールが地面に設置されるので、レールに土などの異物が挟まりやすかった。しかし、本実施形態では第１，第２のカバー４，５が垂直方向に設けられているので、第１，第２のファスナー４１，４２、第３，第４のファスナー５１，５２に土などの異物が挟まり難く、異物による出入り口３３の開閉困難を防止することができる。
【００３３】
また、第１のカバー４および第２のカバー５は、フィルム固定部材７のみで固定されているので、破損した場合に容易に交換することができメンテナンス性が高い。
【００３４】
また、本実施形態の変形例として、図４に示すように、第２のファスナー４２および第４のファスナー５２を出入り口３３の縁（縦フレーム３２）に沿って設けるように構成してもよい。第２のファスナー４２および第４のファスナー５２は、出入り口３３の幅方向の一端（図４における左端）において縦方向に設けられている。そして、第２のファスナー４２は第１のファスナー４１の一端（図４における左端）に連続し、第４のファスナー５２は第３のファスナー５１の一端（図４における左端）に連続する。また、第１のファスナー４１および第３のファスナー５１は、出入り口３３の幅方向の両端にわたって連続して形成されている。第１，第３のファスナー５１のスライダーが一端にある場合、第１，第３のファスナー５１が閉められた状態となり、スライダーが他端（図４における右端）にある場合、第１，第３のファスナー５１が開けられた状態となる。
【００３５】
さらに、図５に示すように、第２のファスナー４２が第１のファスナー４１の一端に連続するよう一体に構成し、第４のファスナー５２が第３のファスナー５１の一端に連続するよう一体に構成してもよい。第１のファスナー４１と第２のファスナー４２とが一体に構成されることによって、共通のスライダー４４で開閉させることができる。同様に、第３のファスナー５１と第４のファスナー５２とが一体に構成されることによって、共通のスライダー５４で開閉させることができる。また、第１のファスナー４１と第２のファスナー４２との連続部分、および第３のファスナー５１と第４のファスナー５２との連続部分が湾曲するように形成されており、スライダー４４，５４をスムーズに移動させることができる。
【００３６】
また、上記変形例では、第２のファスナー４２および第４のファスナー５２は、図４、図５における左側の縦フレーム３２に沿って設けられているが、右側の縦フレーム３２に沿って設けられていてもよい。また、第２のファスナー４２および第４のファスナー５２を、左右両側の縦フレーム３２に沿って設け、第１のファスナー４１の両端に第２のファスナー４２が連続し、第３のファスナー５１の両端に第４のファスナー５２が連続するように構成してもよい。
【００３７】
また、本実施形態では、第１，第２のファスナー４１，４２および第３，第４のファスナー５１，５２は、スライドファスナーで構成されているが、面ファスナーで構成されていてもよい。
【００３８】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００３９】
１  農業用ハウス
２  被覆材
３  フレーム
３３  出入り口
４  第１のカバー
４０  シート状部材
４１  第１のファスナー
４２  第２のファスナー
５  第２のカバー
５０  シート状部材
５１  第３のファスナー
５２  第４のファスナー
【図１】
2015146772.tif 000003
【図２】
2015146772.tif 000004
【図３】
2015146772.tif 000005
【図４】
2015146772.tif 000006
【図５】
2015146772.tif 000007